(57)【特許請求の範囲】
【請求項１】
離隔配置された複数の電気機器と、該電気機器からの画像データに基づく画像を表示する表示部とを備える表示システムにおいて、
前記表示部には、前記複数の電気機器に係る機能を、該機能に対応する電気機器を表示せずに表す機能表示画面が表示され、
該機能表示画面を介して何れかの機能の選択を受け付ける選択受付手段と、
前記表示部及び前記複数の電気機器の間に介在し、前記選択受付手段が受け付けた選択に基づき、何れかの電気機器から画像データを取得する画像取得部とを備え、
前記選択受付手段が受け付けた選択に係る機能が、前記画像取得部が現に画像データの取得を行なっている取得元の電気機器に係る機能に対応しない場合、該電気機器が画像データの取得を中止する指示を前記画像取得部に送信するように構成されていることを特徴とする表示システム。
【請求項２】
離隔配置された複数の電気機器と、該電気機器からの画像データに基づく画像を表示する表示部と、該表示部及び複数の電気機器の間に介在し、何れかの電気機器から画像データを取得する画像取得部とを備える表示システムでの表示すべき画像データの取得方法において、
前記表示部に、前記複数の電気機器に係る機能を、該機能に対応する電気機器を表示せずに表す機能表示画面を表示するステップと、
前記機能表示画面を介して何れかの機能の選択を受け付ける選択受付ステップと、
該選択受付ステップで受け付けた選択に基づき、前記画像取得部が何れかの電気機器から画像データを取得するステップと、
前記選択受付ステップで受け付けた選択に係る機能が、前記画像取得部が現に画像データの取得を行なっている取得元の電気機器に係る機能に対応しない場合、該電気機器が画像データの取得を中止する指示を前記画像取得部に送信するステップと
を含むことを特徴とする画像データ取得方法。
【請求項３】
離隔配置された複数の電気機器と、該電気機器からの画像データに基づく画像を表示する表示部と、該表示部及び複数の電気機器の間に介在し、何れかの電気機器から画像データを取得する画像取得部とを備える表示システムを構成するコンピュータに、表示すべき画像データを取得させるコンピュータプログラムにおいて、
コンピュータに、前記表示部に、前記複数の電気機器に係る機能を、該機能に対応する電気機器を表示せずに表す機能表示画面を表示させるステップと、
コンピュータに、前記機能表示画面を介して何れかの機能の選択を受け付けさせる選択受付ステップと、
コンピュータに、前記選択受付ステップで受け付けた選択に基づき、前記画像取得部による何れかの電気機器からの画像データの取得を行なわせるステップと、
コンピュータに、前記選択受付ステップで受け付けた選択に係る機能が、前記画像取得部が現に画像データの取得を行なっている取得元の電気機器に係る機能に対応しない場合、画像データの取得を中止する指示の前記電気機器による前記画像取得部への送信を行わせるステップと
を実行させることを特徴とするコンピュータプログラム。
【請求項４】
請求項３に記載のコンピュータプログラムを記録してあることを特徴とするコンピュータでの読み取りが可能な記録媒体。
【発明の詳細な説明】
【技術分野】
【０００１】
本発明は、表示部と、離隔配置された複数の電気機器とを備え、何れかの電気機器からの画像データに基づく画像を前記表示部に表示する表示システム、画像データ取得方法及びコンピュータプログラム、並びに該コンピュータプログラムが記録された記録媒体に関する。
【背景技術】
【０００２】
近年、技術の発展に伴い、人々の生活に役立つ様々な電気機器が普及されている。また、このような電気機器の多くは、その使用上の利便性を高めるべく、利用者からの指示を受け付けるための表示部が設けられている。
【０００３】
例えば、特許文献１では、複数のコントローラが1つの表示装置に並列接続されており、二次元センサとして動画用カメラ及び赤外線カメラを有し、一次元センサとして音響センサ、振動センサ、温度センサ、又は距離センサを有して、複数の画像情報と複数のセンサ情報から異常を監視する異常監視装置が開示されている。
【０００４】
一方、特許文献２においては、単一の表示器に各種制御用の複数のコントローラをループに接続させ、複数のコントローラの機能表示を単一の表示器に切換自在に行う移動農機の総合表示装置が開示されている。
【先行技術文献】
【特許文献】
【０００５】
【特許文献１】特開平１１−８５２５７号公報
【特許文献２】特開平０９−２９８９２７号公報
【発明の概要】
【発明が解決しようとする課題】
【０００６】
例えば、コンビニエンスストアーにおいては、各種のチケットを発券する発券機、スキャナ、コピー機、プリンタ等の電子機器が揃えられており、各電子機器には操作パネルを兼ねた表示部が夫々設けられている。
【０００７】
一方、一人の利用者がこれらの中、複数の電子機器を使用する場合、該複数の電子機器を同時に使うことは想定し難く、所定の順に夫々の電子機器を使用していくことになる。
【０００８】
すなわち、利用者は離隔配置された複数の電子機器を操作する場合、夫々の電子機器の設置場所まで移動して、斯かる表示部を視認しながら当該電子機器を操作するという面倒な動きを取ることとなる。しかしながら、上述したような特許文献１の異常監視装置及び特許文献２の移動農機の総合表示装置では、このような問題を解決することが出来ない。
【０００９】
本発明は、斯かる事情に鑑みてなされたものであり、その目的とするところは、離隔配置された複数の電気機器と、該電気機器からの画像データに基づく画像を表示する表示部とを備える表示システムにおいて、前記複数の電気機器に係る機能を、該機能に対応する電気機器を表示せずに表す機能表示画面を該表示部に表示し、該機能表示画面を介して何れかの機能の選択を受け付け、受け付けた選択に基づき、何れかの電気機器から画像データを取得して前記表示部に送ることにより、離隔された異種の電子機器においても、１つの表示部で賄うことが出来ると共に、上述したような利用者の面倒な動きを省くことができる表示システム、画像データ取得方法及びコンピュータプログラム、並びに該コンピュータプログラムが記録された記録媒体を提供するところにある。
【課題を解決するための手段】
【００１０】
本発明に係る表示システムは、離隔配置された複数の電気機器と、該電気機器からの画像データに基づく画像を表示する表示部とを備える表示システムにおいて、前記表示部には、前記複数の電気機器に係る機能を、該機能に対応する電気機器を表示せずに表す機能表示画面が表示され、該機能表示画面を介して何れかの機能の選択を受け付ける選択受付手段と、前記表示部及び前記複数の電気機器の間に介在し、前記選択受付手段が受け付けた選択に基づき、何れかの電気機器から画像データを取得する画像取得部とを備え、前記選択受付手段が受け付けた選択に係る機能が、前記画像取得部が現に画像データの取得を行なっている取得元の電気機器に係る機能に対応しない場合、該電気機器が画像データの取得を中止する指示を前記画像取得部に送信するように構成されていることを特徴とする。
【００１１】
本発明にあっては、前記表示部には、対応する電気機器を表示せずに機能のみを表す前記機能表示画面が表示され、前記選択受付手段が該機能表示画面を介して利用者から何れかの機能の選択を受け付ける。この場合、前記画像取得部は、前記選択受付手段が受け付けた選択に基づき、何れかの電気機器から画像データを取得し、取得した画像データを前記表示部に送る。また、前記選択受付手段が受け付けた選択に係る機能が、前記画像取得部が現に画像データの取得を行なっている取得元の電気機器に係る機能に対応しない場合、該電気機器が画像データの取得を中止する指示を前記画像取得部に送信する。
【００１４】
本発明に係る画像データ取得方法は、離隔配置された複数の電気機器と、該電気機器からの画像データに基づく画像を表示する表示部と、該表示部及び複数の電気機器の間に介在し、何れかの電気機器から画像データを取得する画像取得部とを備える表示システムでの表示すべき画像データの取得方法において、前記表示部に、前記複数の電気機器に係る機能を、該機能に対応する電気機器を表示せずに表す機能表示画面を表示するステップと、前記機能表示画面を介して何れかの機能の選択を受け付ける選択受付ステップと、該選択受付ステップで受け付けた選択に基づき、前記画像取得部が何れかの電気機器から画像データを取得するステップと、前記選択受付ステップで受け付けた選択に係る機能が、前記画像取得部が現に画像データの取得を行なっている取得元の電気機器に係る機能に対応しない場合、該電気機器が画像データの取得を中止する指示を前記画像取得部に送信するステップとを含むことを特徴とする。
【００１５】
本発明に係るコンピュータプログラムは、離隔配置された複数の電気機器と、該電気機器からの画像データに基づく画像を表示する表示部と、該表示部及び複数の電気機器の間に介在し、何れかの電気機器から画像データを取得する画像取得部とを備える表示システムを構成するコンピュータに、表示すべき画像データを取得させるコンピュータプログラムにおいて、コンピュータに、前記表示部に、前記複数の電気機器に係る機能を、該機能に対応する電気機器を表示せずに表す機能表示画面を表示させるステップと、コンピュータに、前記機能表示画面を介して何れかの機能の選択を受け付けさせる選択受付ステップと、コンピュータに、前記選択受付ステップで受け付けた選択に基づき、前記画像取得部による何れかの電気機器からの画像データの取得を行なわせるステップと、コンピュータに、前記選択受付ステップで受け付けた選択に係る機能が、前記画像取得部が現に画像データの取得を行なっている取得元の電気機器に係る機能に対応しない場合、画像データの取得を中止する指示の前記電気機器による前記画像取得部への送信を行わせるステップとを実行させることを特徴とする。
【００１６】
本発明にあっては、前記表示部には、対応する電気機器を表示せずに機能のみを表す前記機能表示画面が表示され、利用者から該機能表示画面を介して何れかの機能の選択が受け付けられる。この場合、前記画像取得部は、受け付けられた選択に基づき、何れかの電気機器から画像データを取得し、取得した画像データを前記表示部に送る。また、受け付けられた選択に係る機能が、前記画像取得部が現に画像データの取得を行なっている取得元の電気機器に係る機能に対応しない場合、該電気機器が画像データの取得を中止する指示を前記画像取得部に送信する。
【００１７】
本発明に係る記録媒体は、前述の発明のコンピュータプログラムを記録してあることを特徴とする。
【００１８】
本発明にあっては、前記記録媒体に前述のコンピュータプログラムを記録する。コンピュータが前記記録媒体から前記コンピュータプログラムを読み出して、前述の表示システム、及び画像データ取得方法がコンピュータにより実現される。
【発明の効果】
【００１９】
本発明によれば、離隔された異種の電子機器においても、１つの表示部で賄うことが出来ると共に、離隔配置された複数の電子機器を操作する場合、利用者が夫々の電子機器の設置場所まで移動する面倒な動きを省くことができる。
【図面の簡単な説明】
【００２０】
【図１】本発明の実施の形態１の表示システムの要部構成を示す機能ブロック図である。
【図２】本発明の実施の形態１に係る表示システムの表示装置の要部構成を示す機能ブロック図である。
【図３】本発明の実施の形態１に係る表示システムにおける、画像データの取得を説明するフローチャートである。
【図４】本発明の実施の形態１に係る表示システムにおいて、表示装置の画像取得部がプリンタからの画像データを取得している場合を示す説明図である。
【図５】本発明の実施の形態１における、メニュ画面上の機能の選択操作を例示する例示図である。
【図６】本発明の実施の形態１に係る表示システムにおいて、表示装置の画像取得部がスキャナからの画像データを取得している場合を示す説明図である。
【図７】本発明の実施の形態２に係る表示システムの表示装置の要部構成を示す機能ブロック図である。
【発明を実施するための形態】
【００２１】
以下に、本発明の実施の形態に係る表示システムがプリンタ１０と、表示装置２０と、スキャナ３０とを含む場合を例として、図面に基づいて詳述する。
【００２２】
（実施の形態１）
図１は本発明の実施の形態１の表示システム１の要部構成を示す機能ブロック図である。表示システム１はプリンタ１０（電気機器）と、表示装置２０と、スキャナ３０（電気機器）とを備えている。
【００２３】
プリンタ１０は、ＣＰＵ１１と、ＲＯＭ１２と、ＲＡＭ１３と、ＮＶＲＡＭ１４と、操作部１５と、印刷部１６とを備えている。
【００２４】
ＲＯＭ１２には各種の制御プログラム、演算用のパラメータのうちの基本的に固定のデータ等が予め格納されており、ＲＡＭ１３はデータを一時的に記憶し、記憶順、記憶位置等に関係なく読み出すことが可能である。また、ＲＡＭ１３は、例えば、ＲＯＭ１２から読み出されたプログラム、該プログラムを実行することにより発生する各種データ、該実行の際適宜変化するパラメータ等を記憶する。
【００２５】
ＣＰＵ１１は、ＲＯＭ１２に予め格納されている制御プログラムをＲＡＭ１３上にロードして実行することによって、上記の各種ハードウェアの制御を行い、装置全体を本発明に係るプリンタ１０として動作させる。
【００２６】
ＮＶＲＡＭ１４は、不揮発性メモリであり、例えば、プリンタ１０が有する機能情報、表示しないＩ／Ｏインターフェースを介して外部から入力された画像データ等を記憶する。
【００２７】
操作部１５は、プリンタ１０の機能を設定するための設定指示等、プリンタ１０の動作を制御するための指示を使用者の操作により受け付けるタッチパネル又はテンキー等を含んで構成されている。
【００２８】
印刷部１６は、例えば、ＮＶＲＡＭ１４に記憶されている画像データを読み出して、熱転写、電子写真、又はインクジェット等の方式により紙等の記録シート上に前記画像データに基づく画像を形成して出力する。
【００２９】
また、プリンタ１０は、表示しないネットワークカード又はモデム等を備えており、通信回線Ｌ１を介して表示装置２０とデータの送受信を行なう。
【００３０】
一方、スキャナ３０は、ＣＰＵ３１と、ＲＯＭ３２と、ＲＡＭ３３と、ＨＤＤ３４と、操作部３５と、画像入力部３６と、画像処理部３７とを備えている。スキャナ３０のＣＰＵ３１、ＲＯＭ３２及びＲＡＭ３３に関しては、プリンタ１０の場合と同様であり詳しい説明を省略する。
【００３１】
ＨＤＤ３４には、ＯＳ、画像データを読み込むためのアプリケーションソフト、画像入力部３６を制御するためのドライバなどの各種プログラムが記憶されている。
【００３２】
操作部３５は、複数のボタンを備え、ユーザによってスキャン開始の指示などの各種の入力操作が可能である。
【００３３】
画像入力部３６は、原稿の画像を光学的に読み取る。すなわち、画像入力部３６はＣＣＤ（Charge Coupled Device ）等の光センサを備えたカラースキャナを用いて構成されており、紙等の記録シートにカラー画像が記録された原稿からの反射光像をＲＧＢ（Ｒ：赤，Ｇ：緑，Ｂ：青）の各色に分解して光センサで読み取り、ＲＧＢのアナログ信号に変換して画像処理部３７へ出力する。
【００３４】
画像処理部３７は、画像入力部３６から入力されたアナログ信号をデジタル信号に変換して適宜処理する。このように処理された画像データはＨＤＤ３４又はＲＡＭ３３に記憶される。
【００３５】
また、スキャナ３０は、表示しないネットワークカード又はモデム等を備えており、通信回線Ｌ２を介して表示装置２０に接続されている。従って、ＨＤＤ３４又はＲＡＭ３３に記憶されている画像データは、通信回線Ｌ２を介して表示装置２０に出力され、該画像データに基づく画像が表示装置２０に表示される。
【００３６】
一方、図２は本発明の実施の形態１に係る表示システム１の表示装置２０の要部構成を示す機能ブロック図である。表示装置２０は、表示部２１と、タッチパネル部２２と、表示制御部２３と、選択受付部２４と、画像取得部２５と、記憶部２６とを備えている。
【００３７】
表示部２１は、例えば、ＬＣＤ又はＥＬ（Electroluminescence）パネル等からなる。また、表示部２１には、プリンタ１０及びスキャナ３０が有する機能、例えば、「プリント」及び「スキャン」のを表すメニュ画面（機能表示画面）、該メニュ画面を表示する指示を受け付けるメニュソフトキー、スキャナ３０からの画像データに基づく画像、すなわち、スキャナ３０が読み取った原稿の画像等が表示される。また、表示部２１の表示画面を覆うようにタッチパネル部２２が設けられている。
【００３８】
タッチパネル部２２は、表示部２１の表示画面を覆うように設けられている。タッチパネル部２２は利用者の指先のタッチ操作により表示部２１の表示画面上における位置指定を受け付ける。利用者の指先のタッチ操作による圧力の変化を検知し、又は静電気による電気信号を検知して、利用者の指先である接触点の表示部２１の表示画面上の座標を検出し、該座標を特定する信号を発生する。
【００３９】
表示制御部２３は、ＤＳＰ（Digital Signal Processor）のようなプロセッサにより構成され、表示部２１への画像表示を制御する。例えば、表示制御部２３は、スキャナ３０からの画像データに基づく画像の表示、前記メニュ画像の表示等の制御を行なう。また、表示制御部２３は、選択受付部２４が所定機能の選択を受け付けた場合、該機能の実行に係る画像を表示する。
【００４０】
例えば、表示部２１に前記メニュ画面が表示され、該メニュ画面の何れかの機能を利用者が指先でタッチして選択した場合、タッチパネル部２２が利用者の指先の接触点である表示部２１の表示画面上の座標を検出し、該座標を特定する信号を選択受付部２４に送出する。
【００４１】
選択受付部２４は、タッチパネル部２２から前記信号（座標）を取得して、表示部２１に表示されているメニュ画面の機能の内、該座標に対応する位置の機能が選択されたものとして認識する。このようにして、選択受付部２４は利用者からの選択を受け付けることが出来る。
【００４２】
画像取得部２５は、選択受付部２４が受け付けた選択に基づき、プリンタ１０及びスキャナ３０の何れか一方から、表示部２１に表示すべき画像データを取得する。
例えば、利用者が前記メニュ画面の「プリント」をタッチすることによって選択受付部２４が「プリント」の選択を受け付けた場合、画像取得部２５は「プリント」機能を有するプリンタ１０からの画像データを取得する。一方、利用者が前記メニュ画面の「スキャン」をタッチすることによって選択受付部２４が「スキャン」の選択を受け付けた場合、画像取得部２５は画像データの取得元を切り替えて「スキャン」機能を有するスキャナ３０から画像データを取得する。
【００４３】
記憶部２６は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部２６は、前記メニュ画面に係る画像データ等が記憶されている。
【００４４】
また、表示装置２０は、表示しないネットワークカード又はモデム等を備えており、通信回線Ｌ１及びＬ２を介してプリンタ１０及びスキャナ３０に夫々接続されている。
【００４５】
以上に記載した表示装置２０の表示制御部２３、選択受付部２４及び画像取得部２５はハードウェアロジックによって構成してもよく、ソフトウェアによって実現してもよい。
【００４６】
図３は本発明の実施の形態１に係る表示システム１における、画像データの取得を説明するフローチャートである。説明の便宜上、表示装置２０の画像取得部２５が、現在、プリンタ１０からの画像データを取得しているが、前記メニュ画面を介して「スキャン」機能の選択を受け付け、画像データの取得元を切り替える場合を例として説明する。
【００４７】
図４は本発明の実施の形態１に係る表示システム１において、表示装置２０の画像取得部２５がプリンタ１０からの画像データを取得している場合を示す説明図である。図４においては、現在、メニュ画面Ｐの「プリント」が選択されている状態であり、プリンタ１０及び表示装置２０の間の通信回線Ｌ１を実線で表すことにより、画像データの取得元であることを表示している。また、スキャナ３０及び表示装置２０の間の通信回線Ｌ２を点線にて表して、現在、画像データの取得元となっていないことを表示している。
【００４８】
上述したように、現在、プリンタ１０が画像データの取得元となっており、原稿のスキャンを希望する利用者は、前記メニュソフトキーを適宜タッチすることにより、メニュ画面の表示を指示する。
【００４９】
この際、表示制御部２３はタッチパネル部２２からの信号を監視することにより、メニュ画面を表示する指示を受け付けたか否かを判定する（ステップＳ１０１）。メニュ画面を表示する指示を受け付けていないと判定した場合（ステップＳ１０１：ＮＯ）、表示制御部２３は該指示を受け付けるまで斯かる判定を繰り返す。
【００５０】
一方、メニュ画面を表示する指示を受け付けたと判定した場合（ステップＳ１０１：ＹＥＳ）、表示制御部２３は記憶部２６に記憶されているメニュ画面のための画像データに基づき、表示部２１にメニュ画面Ｐを表示する（ステップＳ１０２）。
【００５１】
次いで、表示制御部２３は選択受付部２４を監視することにより、何れかの機能の選択を受け付けたか否かを判定する（ステップＳ１０３）。何れの機能の選択も受け付けていないと判定した場合（ステップＳ１０３：ＮＯ）、表示制御部２３は何れかの機能の選択を受け付けるまで斯かる判定を繰り返す。
【００５２】
一方、何れかの機能の選択を受け付けたと判定した場合（ステップＳ１０３：ＹＥＳ）、すなわち選択受付部２４が何れかの機能の選択を受け付けた場合、表示制御部２３は、選択受付部２４が受け付けた選択に係る機能を、現在の画像データの取得元に通知する（ステップＳ１０４）。
【００５３】
図５は実施の形態１における、メニュ画面Ｐ上の機能の選択操作を例示する例示図である。例えば、利用者がメニュ画面Ｐの「スキャン」を選択した場合、現在、画像データの取得元がプリンタ１０となっているので、表示制御部２３はプリンタ１０に「スキャン」機能が選択された旨を、通信回線Ｌ１を介して通知する。
【００５４】
斯かる通知を受けた場合、プリンタ１０のＣＰＵ１１は、ＮＶＲＡＭ１４に記憶されている自己の機能情報に基づき、受けた通知に係る機能が自己の機能であるかいなかを判定する。
【００５５】
ここで、「スキャン」機能はプリンタ１０の機能でないことから、プリンタ１０のＣＰＵ１１は画像データの取得を中止して画像データの取得元を切り替える指示を、通信回線Ｌ１を介して表示装置２０に送る。
【００５６】
すなわち、本発明に係る表示システムにおいては、現在の画像データの取得元である電気機器から画像データの取得元を切り替える指示を発するので、他の電気機器による不意打ちの切り替えを未然に防止できる。
【００５７】
斯かる際、表示装置２０の表示制御部２３は通信回線Ｌ１を監視することにより、画像データの取得元を切り替える指示を受け付けたか否かを判定する（ステップＳ１０５）。
【００５８】
例えば、所定時間、画像データの取得元を切り替える指示を受け付けていないと表示制御部２３によって判定された場合は（ステップＳ１０５：ＮＯ）、換言すれば、画像データの取得元が受けた通知に係る機能を自己の機能であると判定した場合であるので、現在の画像データの取得元は変更されず、該画像データの取得元は受け付けた機能を実行する（ステップＳ１０７）。
【００５９】
一方、画像データの取得元を切り替える指示を受け付けたと判定した場合（ステップＳ１０５：ＹＥＳ）、表示制御部２３は画像取得部２５に画像データの取得元を切り替えるよう指示する。
【００６０】
すなわち、本実施の形態においては、「スキャン」機能はプリンタ１０の機能でないことから、画像データの取得元を切り替える指示がプリンタ１０から表示装置２０に送られるので、該指示に応じて、画像取得部２５は画像データの取得元をプリンタ１０からスキャナ３０に切り替える（ステップＳ１０６）。また、表示制御部２３は通信回線Ｌ２を介して「スキャン」機能が選択された旨をスキャナ３０に通知する。
【００６１】
該通知を受けたスキャナ３０は、図６に示すように、受け付けた機能の実行に係る画像表示のための画像データを通信回線Ｌ２を介して表示装置２０に送信し、該画像データに基づく画像が表示部２１に表示される。
【００６２】
以上のように、本発明に係る表示システムにおいては、利用者が１つの表示装置２０（表示部２１）を用いて、空間的に離隔されているプリンタ１０及びスキャナ３０に係るジョブを行なうことができ、各電気機器の設置場所まで利用者が移動する手間を省くことが出来る。
【００６３】
また、プリンタ１０及びスキャナ３０の間における、画像データの取得元の切り替えにおいても、利用者が斯かる切り替えを気づかないので、利用者に違和感を与えない。
【００６４】
なお、以上の記載においては、プリンタ１０及びスキャナ３０と、表示装置２０とが夫々分離して配置された場合を例として説明したが、これに限るものでない。例えば、プリンタ１０及び表示装置２０を一体化した、いわゆるキヨスク（ＫＩＯＳＫ）であっても良い。
【００６５】
更に、表示装置２０の表示制御部２３、選択受付部２４及び画像取得部２５をプリンタ１０又はスキャナ３０に設けるように構成しても良い。
【００６６】
（実施の形態２）
図７は本発明の実施の形態２に係る表示システム１の表示装置２０の要部構成を示す機能ブロック図である。実施の形態２の表示装置２０は、動作を行うためのコンピュータプログラムが、Ｉ／Ｆ２７を介してＣＤ−ＲＯＭ等の可搬型記録媒体Ａで提供することも可能であるように構成されている。さらに、実施の形態２の表示装置２０は、前記コンピュータプログラムを、図示しない外部装置から図示しない通信部を介してダウンロードすることも可能であるように構成されている。以下に、その内容を説明する。
【００６７】
実施の形態２の表示装置２０は外装（又は内装）の記録媒体読み取り装置（図示せず）を備えており、該記録媒体読み取り装置に、前記表示部に前記メニュ画面（機能表示画面）を表示させ、前記機能表示画面を介して何れかの機能の選択を受け付けさせ、前記選択受付ステップで受け付けた選択に基づき、前記画像取得部による何れかの電気機器からの画像データの取得を行なわせるプログラム等が記録された可搬型記録媒体Ａを挿入して、例えば、表示制御部２３が記憶部２６にこのプログラムをインストールする。これにより、実施の形態２の本発明の表示装置２０として機能する。
【００６８】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【００６９】
前記通信部を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【００７０】
実施の形態１と同様の部分については、同一の符号を付して詳細な説明を省略する。
【符号の説明】
【００７１】
１  表示システム
１０  プリンタ
２０  表示装置
２１  表示部
２３  表示制御部
２４  選択受付部
２５  画像取得部
３０  スキャナ
Ａ  記録媒体
Ｐ  メニュ画面
【図１】
0005697567.tif 000002
【図２】
0005697567.tif 000003
【図３】
0005697567.tif 000004
【図４】
0005697567.tif 000005
【図５】
0005697567.tif 000006
【図６】
0005697567.tif 000007
【図７】
0005697567.tif 000008